(57)【要約】【課題】粗剃り用の切断刃と仕上げ剃り用の切断刃の配置と、各切断刃の突出関係を好適化して、くせ髭の切断と仕上げ剃りとを効果的に行なえ、とくにあご部におけるくせ髭を繰り返し的確に切断できる電気かみそりを提供する。【解決手段】かみそりヘッド６に、粗剃り用の第１切断刃１１と、仕上げ剃り用の第２切断刃１２と、粗剃り用の第３切断刃１３とを設ける。第２切断刃１２の上端は、第１切断刃１１の上端より上方へ突出させ、第３切断刃１３の上端は、第２切断刃１２の上端より上方へ突出させる。第３切断刃１３の上端を、第１切断刃１１の外周面と第２切断刃１２の外周面を結ぶ接線Ｌより下方に位置させ、かつ、第３切断刃１３の上端を、第２切断刃１２の上端より上方へ突出させる。第２切断刃１２と第１切断刃１１との突出寸法差Ｈ１を、第３切断刃１３と第２切断刃１２との突出寸法差Ｈ２より大きく設定する。【選択図】図１
2010136954.tif 000002
【特許請求の範囲】
【請求項１】
かみそりヘッド（６）に、粗剃り用の第１切断刃（１１）と、仕上げ剃り用の第２切断刃（１２）と、粗剃り用の第３切断刃（１３）とが記載順に配置されており、
第２切断刃（１２）の上端が、第１切断刃（１１）の上端より上方へ突出させてあり、
第３切断刃（１３）の上端が、第２切断刃（１２）の上端と同じか、これより上方へ突出させてあることを特徴とする電気かみそり。
【請求項２】
第３切断刃（１３）の上端が、第１切断刃（１１）の外周面と第２切断刃（１２）の外周面を結ぶ接線（Ｌ）より下方に位置させてあり、かつ、第３切断刃（１３）の上端が、第２切断刃（１２）の上端より上方へ突出させてある請求項１に記載の電気かみそり。
【請求項３】
第２切断刃（１２）の上端と第１切断刃（１１）の上端との突出寸法差（Ｈ１）が、第３切断刃（１３）の上端と第２切断刃（１２）の上端との突出寸法差（Ｈ２）より大きく設定してある請求項１または２に記載の電気かみそり。
【請求項４】
第１切断刃（１１）の左右幅寸法を（Ｂ１）とし、第２切断刃（１２）の左右幅寸法を（Ｂ２）とし、第３切断刃（１３）の左右幅寸法を（Ｂ３）とするとき、Ｂ１＜Ｂ２＜＝Ｂ３の関係を満足し、
第１ないし第３の各切断刃（１１〜１３）の外刃（１８・２０・２２）が、それぞれ外刃支持体（５９・６５・７６）で支持されており、
前記各外刃支持体（５９・６５・７６）の左右両端に、各外刃（１８・２０・２２）の突端と同じか、これより僅かに突出する肌押圧体（５９ａ・６５ａ・７６ａ）が設けてある請求項１、２または３に記載の電気かみそり。
【請求項５】
少なくとも、第１および第２の各切断刃（１１・１２）の外刃支持体（５９・６５）に設けた肌押圧体（５９ａ・６５ａ）が、かみそりヘッド（６）の前面側へ向かって末広がり状に配置してある請求項４に記載の電気かみそり。
【請求項６】
第１切断刃（１１）の外刃（１８）の上面に平坦な上壁（３７）が設けられており、
前記上壁（３７）が、第１切断刃（１１）の外刃（１８）の周面と第２切断刃（１２）の周面を結ぶ接線（Ｌ）に沿って、第２切断刃（１２）の外刃（２０）へ向かって上り傾斜する状態で形成してある請求項４または５に記載の電気かみそり。
【請求項７】
第１切断刃（１１）の外刃支持体（５９）に設けた肌押圧体（５９ａ）が、第１切断刃（１１）の外刃（１８）の上壁（３７）と同じ向きに傾斜させてある請求項４、５または６に記載の電気かみそり。
【請求項８】
第１切断刃（１１）の外刃（１８）が、第２切断刃（１２）に隣接する縦壁（３６）と、縦壁（３６）に連続して後向きに鋭角に折り曲げられる上壁（３７）とで逆Ｌ字状に形成されており、
上壁（３７）の後端に髭導入用の刃穴（４２）とリブ（４３）とを形成して第１切刃部（３８）が形成され、縦壁（３６）から上壁（３７）にわたって髭導入用の刃穴（４４）とリブ（４５）を形成して第２切刃部（３９）が形成してある請求項６または７に記載の電気かみそり。
【請求項９】
第１切断刃（１１）を構成する外刃（１８）の第１切刃部（３８）の後端縁が、平面視において外突湾曲線状に形成してある請求項６、７または８に記載の電気かみそり。
【請求項１０】
第１切刃部（３８）に形成される刃穴（４２）とリブ（４３）のそれぞれが、かみそりヘッド（６）の後側へ向かって拡がる向きに放射配置してある請求項９に記載の電気かみそり。
【請求項１１】
第１切刃部（３８）と第２切刃部（３９）とが、両切刃部（３８・３９）の間に配置した左右方向に連続する補強リブ（４０）で前後に区分されており、
第２切刃部（３９）の前端縁が平面視において直線状に形成され、後端縁が平面視において外突湾曲線状に形成してある請求項６、７、８または９に記載の電気かみそり。
【請求項１２】
第２切断刃（１２）の外刃（２０）が逆Ｕ字状に保形されており、
第３切断刃（１３）の外刃（２２）の湾曲半径が、第２切断刃１２の外刃（２０）の湾曲半径より大きく設定してある請求項６から１０のいずれかに記載の電気かみそり。
【請求項１３】
第３切断刃（１３）の外刃（２２）の前後中央に補強リブ（７５）が形成され、同リブ（７５）の前後に沿って髭導入用の刃穴（７３）が形成してある請求項６から１１のいずれかに記載の電気かみそり。
【請求項１４】
第１切断刃（１１）の外刃（１８）のリブ（４３）の内周面に沿って、刃穴（４２）に導入した髭を保持する微小波形の髭保持部（７９）が形成してある請求項８から１２のいずれかに記載の電気かみそり。
【請求項１５】
第３切断刃（１３）の前側に仕上げ剃り用の第４切断刃（１４）が配置されており、
第４切断刃（１４）の上端が第３切断刃（１３）の上端より下方に位置させてある請求項１に記載の電気かみそり。
【請求項１６】
第１切断刃（１１）から第４切断刃（１４）のそれぞれが、単独で上下フロート自在に支持されており、
第３切断刃（１３）が、第２切断刃（１２）および第４切断刃（１４）の沈み込み動作に連動して沈み込み可能に構成してある請求項１４に記載の電気かみそり。
【発明の詳細な説明】
【技術分野】
【０００１】
本発明は、かみそりヘッドに粗剃り用の切断刃や仕上げ剃り用の切断刃などの、複数個の切断刃を備えている電気かみそりに関する。
【背景技術】
【０００２】
この種の電気かみそりは、例えば特許文献１にみることができる。そこでは、仕上げ剃り用の前後一対のメイン刃と、両メイン刃の間に配置される粗剃り用のセンター刃をかみそりヘッドに設けている。メイン刃は、アーチ状に保形される網刃構造の外刃と、スリット刃からなる内刃とで構成してある。センター刃は、それぞれスリット刃構造の外刃と内刃で構成してある。
【０００３】
特許文献２の電気かみそりにおいては、２個のメイン刃と２個のサブ刃との合計４個の切断刃で、マルチ刃構造のかみそりヘッドを構成している。詳しくは、粗剃り用のメイン刃と仕上げ剃り用のメイン刃とをかみそりヘッドの前後中央に配置し、粗剃り用のメイン刃の後部と、仕上げ剃り用のメイン刃の前部とに、それぞれスリット刃構造のサブ刃を配置している。メイン刃は、逆Ｕ字状に保形される網刃構造の外刃と、半円状の一群の小刃を備えた櫛歯構造の内刃とで構成してある。サブ刃は、スリット刃構造の外刃と、櫛歯構造の内刃とで構成してある。
【０００４】
くせ髭を速やかにカットし、さらに肌の損傷を少なくして能率よく深剃りするために、合計４個の切断刃のうち、仕上げ剃り用のメイン刃は、前後のサブ刃の上端より突出させてあり、さらに、粗剃り用のメイン刃は仕上げ剃り用のメイン刃の上端より突出させてある。また、粗剃り用のメイン刃のフロート圧を、仕上げ剃り用のメイン刃のフロート圧より弱くしている。これにより、粗剃り用のメイン刃、仕上げ剃り用のメイン刃、前後のサブ刃を、記載順に肌面に押圧できるようにしている。
【０００５】
【特許文献１】特開２００６−２４７１４４号公報（段落番号００３０、図１）
【特許文献２】特許第３６３９４０９号公報（段落番号００２１、図７）
【発明の開示】
【発明が解決しようとする課題】
【０００６】
上記のように、２個のメイン刃と、２個のサブ刃とを備えた電気かみそりによれば、切断刃の数が多い分だけ、髭と切断刃との接触機会を増やすことができる。しかし、スリット刃で構成されたサブ刃を２個のメイン刃の前後に配置し、しかも両メイン刃をサブ刃の上端より突出させるので、両メイン刃が沈み込み、しかも電気かみそりを前後いずれかへ大きく傾けた状態でないとサブ刃を肌面に接触させることができない。そのため、くせ髭の切断は専ら粗剃り用のメイン刃で行なわれることが多く、サブ刃が活用されにくい構造になっていた。
【０００７】
本発明の目的は、粗剃り用の切断刃と仕上げ剃り用の切断刃の配置と、各切断刃の突出関係を好適化して、くせ髭の切断と仕上げ剃りとを効果的に行なえる電気かみそりを提供することにある。本発明の目的は、くせ髭をより確実に切断して深剃りでき、とくにあご部におけるくせ髭を繰り返し的確に切断できる電気かみそりを提供することにある。
【課題を解決するための手段】
【０００８】
本発明に係る電気かみそりは、かみそりヘッド６に、粗剃り用の第１切断刃１１と、仕上げ剃り用の第２切断刃１２と、粗剃り用の第３切断刃１３とを記載順に配置する。第２切断刃１２の上端は、第１切断刃１１の上端より上方へ突出させる。第３切断刃１３の上端は、第２切断刃１２の上端と同じか、これより上方へ突出させる。
【０００９】
第３切断刃１３の上端を、第１切断刃１１の外周面と第２切断刃１２の外周面を結ぶ接線Ｌより下方に位置させ、かつ、第３切断刃１３の上端を、第２切断刃１２の上端より上方へ突出させる。
【００１０】
第２切断刃１２の上端と第１切断刃１１の上端との突出寸法差Ｈ１を、第３切断刃１３の上端と第２切断刃１２の上端との突出寸法差Ｈ２より大きく設定する。
【００１１】
第１切断刃１１の左右幅寸法をＢ１とし、第２切断刃１２の左右幅寸法をＢ２とし、第３切断刃１３の左右幅寸法をＢ３とするとき、Ｂ１＜Ｂ２＜＝Ｂ３の関係を満足できるようにする。第１ないし第３の各切断刃１１〜１３の外刃１８・２０・２２を、それぞれ外刃支持体５９・６５・７６で支持する。各外刃支持体５９・６５・７６の左右両端に、各外刃１８・２０・２２の突端と同じか、これより僅かに突出する肌押圧体５９ａ・６５ａ・７６ａを設ける。
【００１２】
少なくとも、第１および第２の各切断刃１１・１２の外刃支持体５９・６５に設けた肌押圧体５９ａ・６５ａを、かみそりヘッド６の前面側へ向かって末広がり状に配置する。
【００１３】
第１切断刃１１の外刃１８の上面に平坦な上壁３７を設ける。上壁３７は、第１切断刃１１の外刃１８の周面と第２切断刃１２の周面を結ぶ接線Ｌに沿って、第２切断刃１２の外刃２０へ向かって上り傾斜する状態で形成する。
【００１４】
第１切断刃１１の外刃支持体５９に設けた肌押圧体５９ａを、第１切断刃１１の外刃１８の上壁３７と同じ向きに傾斜させる。
【００１５】
第１切断刃１１の外刃１８は、第２切断刃１２に隣接する縦壁３６と、縦壁３６に連続して後向きに鋭角に折り曲げられる上壁３７とで逆Ｌ字状に形成する。上壁３７の後端に髭導入用の刃穴４２とリブ４３とを形成して第１切刃部３８を形成する。さらに、縦壁３６から上壁３７にわたって髭導入用の刃穴４４とリブ４５を形成して第２切刃部３９を形成する。
【００１６】
第１切断刃１１を構成する外刃１８の第１切刃部３８の後端縁を、平面視において外突湾曲線状に形成する。
【００１７】
第１切刃部３８に形成される刃穴４２とリブ４３のそれぞれを、かみそりヘッド６の後ろ側へ向かって拡がる向きに放射配置する。
【００１８】
第１切刃部３８と第２切刃部３９とを、両切刃部３８・３９の間に配置した左右方向に連続する補強リブ４０で前後に区分する。第２切刃部３９の前端縁を平面視において直線状に形成し、後端縁を平面視において外突湾曲線状に形成する。
【００１９】
第２切断刃１２の外刃２０を逆Ｕ字状に保形する。第３切断刃１３の外刃２２の湾曲半径を、第２切断刃１２の外刃２０の湾曲半径より大きく設定する。
【００２０】
第３切断刃１３の外刃２２の前後中央に補強リブ７５を形成し、同リブ７５の前後に沿って髭導入用の刃穴７３とリブ７４を形成する。
【００２１】
第１切断刃１１の外刃１８のリブ４３の内周面に沿って、刃穴４２に導入した髭を保持する微小波形の髭保持部７９を形成する。
【００２２】
第３切断刃１３の前側に仕上げ剃り用の第４切断刃１４を配置する。第４切断刃１４の上端は第３切断刃１３の上端より下方に位置させてある。
【００２３】
第１切断刃１１から第４切断刃１４のそれぞれを、単独で上下フロート自在に支持する。第３切断刃１３が、第２切断刃１２および第４切断刃１４の沈み込み動作に連動して沈み込み可能に構成する。
【発明の効果】
【００２４】
本発明においては、かみそりヘッド６に粗剃り用の第１切断刃１１と、仕上げ剃り用の第２切断刃１２と、粗剃り用の第３切断刃１３とを記載順に配置した。また、第２切断刃１２の上端を、第１切断刃１１の上端より上方へ突出させ、第３切断刃１３の上端を、第２切断刃１２の上端と同じかこれより上方へ突出させて、粗剃り用の第３切断刃１３を他に先行して、あるいは第２切断刃１２とともに肌面に対して接触させるようにした。加えて、第１〜第３切断刃１１〜１３をアーチ状に隣接させて、電気かみそりを前後いずれかへ大きく傾ける必要もなく、通常の電気かみそりの使用形態において第３切断刃１３を肌面に対して接触させるようにした。したがって、本発明の電気かみそりによれば、第３切断刃１３で長毛やくせ髭を切断したのち、第２切断刃１２で仕上げ剃りして、くせ髭などの切断と仕上げ剃りとを効果的に行なえる電気かみそりが得られる。とくに、あご部に生えた髭を切断する場合には、電気かみそりを喉もとからあごの側へ滑らせる場合と、逆向きに滑らせる場合とのいずれの場合にも、第２切断刃１２を間に挟む粗剃り用の第１切断刃１１と第３切断刃１３とで長毛やくせ髭を繰り返し効果的に切断できる。
【００２５】
第１切断刃１１の外周面と第２切断刃１２の外周面を結ぶ接線Ｌより下方に第３切断刃１３の上端を位置させると、図１２に示すように電気かみそりを横臥姿勢にして下あごに生えた髭を切断するとき、第３切断刃１３が肌面に強く当るのを防いで、肌当りを柔軟にできる。さらに、先の配置条件に加えて、第３切断刃１３の上端を第２切断刃１２の上端より上方へ突出させることにより、電気かみそりを下あごに沿って横臥姿勢から起立姿勢に操作するときに、最後に第３切断刃１３を肌面に押し付けて、第１切断刃１１および第２切断刃１２が剃り残したくせ髭や長毛を切断できる。
【００２６】
第２切断刃１２の上端と第１切断刃１１の上端との突出寸法差Ｈ１が、第３切断刃１３の上端と第２切断刃１２の上端との突出寸法差Ｈ２より大きく設定してあると、髭を剃るべき個所に応じて粗剃り用の第１切断刃１１および第３切断刃１３を有効に活用して、効果的に髭切断を行なえる。例えば口の周囲の髭を剃る時には、他の切断刃に先行して第３切断刃１３を肌面に接触させて粗剃りを行ない、第３切断刃１３が突出寸法差Ｈ１の分だけ沈み込んだ状態になって始めて、第２切断刃１２を肌面に接触させて仕上げ剃りを行なえる。また、電気かみそりを横臥姿勢にしてあごの下の髭を剃る場合には、他の切断刃に先行して第３切断刃１３と第２切断刃１２を同時に肌面に接触させて、粗剃りと仕上げ剃りとを連続して行なえる。したがって、従来の電気かみそりに比べて、第１切断刃１１と第２切断刃１２、あるいは第２切断刃１２と第３切断刃１３、さらには第１切断刃１１と第２切断刃１２と第３切断刃１３との三者が協同する状態で、髭切断を効果的に行なうことができる。
【００２７】
第１〜第３の各切断刃１１・１２・１３の左右幅寸法の関係がＢ１＜Ｂ２＜＝Ｂ３となるようにし、さらに、各外刃支持体５９・６５・７６の左右両端に肌押圧体５９ａ・６５ａ・７６ａを設けると、肌押圧体５９ａ・６５ａ・７６ａの前後方向の配列形状を逆ハ字状にできる。これにより電気かみそりを下あごに沿って横臥姿勢から起立姿勢に操作するときに、各肌押圧体５９ａ・６５ａ・７６ａを次々と肌面に接触させて、肌面を徐々に拡げることができ、肌面に倒れこんだくせ髭や長毛の根元を起立させながら効果的に切断できる。
【００２８】
また、少なくとも第１および第２の各切断刃１１・１２の外刃支持体５９・６５に設けた肌押圧体５９ａ・６５ａが、かみそりヘッド６の前面側へ向かって末広がり状に配置してあると、肌面をさらに効果的に拡げて肌面に倒れこんだくせ髭や長毛の根元を確実に起立させて切断できる。
【００２９】
第１切断刃１１の外刃１８の上面に設けられる平坦な上壁３７を接線Ｌに沿って、第２切断刃１２の外刃２０へ向かって上り傾斜させると、図１２に示すように横臥姿勢にした電気かみそりを下あごにあてがった状態において、第１切断刃１１の外刃１８と肌面との接触面積を大きくできる。したがって、肌面に倒れこんだ髭と外刃１８との接触機会を増やして、髭の粗剃り切断をさらに効果的に行なうことができる。電気かみそりを下あごに沿って起立操作し、あるいは逆に電気かみそりを起立位置から横臥姿勢にするとき、上壁３７の上端および第３切断刃１３を肌面に食い込ませて肌面に倒れこんだ髭を掬い起こすようにして効率よく切断できる。
【００３０】
第１切断刃１１の外刃支持体５９に設けた肌押圧体５９ａが、第１切断刃１１の外刃１８の上壁３７と同じ向きに傾斜させてあると、下あごの肌面を肌押圧体５９ａで拡げながら肌面に倒れこんだ髭を外刃１８で切断できる。また、肌押圧体５９ａが肌面に対して必要以上に強く押し付けられるのを避けながら下あごの肌面を拡げることができる。
【００３１】
第１切断刃１１の外刃１８を、縦壁３６と、縦壁３６に連続して後向きに鋭角に折り曲げられる上壁３７とで逆Ｌ字状に形成し、その後部および前部のそれぞれにスリット刃からなる第１・第２の切刃部３８・３９を形成すると、肌面に倒れこんだ髭を前後の両切刃部３８・３９に誘い込んで切断することができる。つまり、外刃１８を肌面に沿って往復操作するとき、往動時と復動時のいずれの場合にも髭を誘い込んで切断できる。
【００３２】
第１切断刃１１の外刃１８の第１切刃部３８の後端縁を平面視において外突湾曲線状に形成すると、下あごなどの凹んだ肌面の髭を切断する際に、第１切断刃１１の第１切刃部３８を肌面にフィットさせて髭切断を的確に行なえる。
【００３３】
第１切刃部３８に形成される刃穴４２とリブ４３のそれぞれを、かみそりヘッド６の後ろ側へ向かって拡がる向きに放射配置すると、横臥姿勢の電気かみそりを下あごに沿って起立させながら髭切断を行なうとき、肌面に倒れこんだ髭を放射配置された刃穴４２で効果的に捕捉して切断できる。また、刃穴４２に誘い込んだ髭をリブ４３の基端側へ案内して、捕捉した髭を確実に切断できる。
【００３４】
電気かみそりの各切断刃１１〜１４における左右幅方向の切断状況を観察すると、各切断刃１１〜１４の左右両端で髭が切断される状況に比べて、左右中央部で髭が切断される状況のほうが圧倒的に多い。したがって、第１切刃部３８と第２切刃部３９とを補強リブ４０で前後に区分し、第２切刃部３９の前端縁を平面視において直線状に形成し、後端縁を平面視において外突湾曲線状に形成すると、左右中央部付近における切刃の前後長さを充分に確保して、髭の切断機会を向上しながら、左右両端付近の切刃の前後長さを短くして切刃の構造強度を向上できる。
【００３５】
第３切断刃１３の外刃２２の湾曲半径を、第２切断刃１２の外刃２０の湾曲半径より大きく設定すると、第２切断刃１２の外刃２０と肌面との接触面積に比べて、第３切断刃１３の外刃２２と肌面との接触面積を大きくすることができる。そのため、かみそりヘッド８の全体が肌面に強く押し付けられるような場合であっても、第３切断刃１３の外刃２２が肌面に食込むのを避けて、肌当りをソフトなものとすることができ、ひりひり感を伴なうことなく髭剃りを行なえる。
【００３６】
第３切断刃１３の外刃２２の前後中央に補強リブ７５を形成し、同リブ７５の前後に沿って髭導入用の刃穴７３とリブ７４を形成すると、肌面に密着する髭を補強リブ７５で掬い起こして起毛し切断できる。また、かみそりヘッド８の全体が肌面に強く押し付けられる場合に、肌面が外刃２２の内面に入り込むのを補強リブ７５で確実に防いで、肌面が髭と共に削がれるのを防止できる。
【００３７】
第１切断刃１１の外刃１８のリブ４３の内周面に沿って微小波形の髭保持部７９を形成すると、刃穴４２に導入した髭を髭保持部７９で受け止めて、髭がリブ４３に沿って滑り動くのをよく防止できる。したがって、刃穴４２に入り込んだ髭をより効果的に切断して、髭剃りに要する時間を短縮できる。
【００３８】
第１切断刃１１〜第３切断刃１３に加えて、第３切断刃１３の前側に仕上げ剃り用の第４切断刃１４を配置し、第４切断刃１４の上端を第３切断刃１３の上端より下方に位置させると、第３切断刃１３が肌面に押し付けられて沈み込んだ状態でのみ、第２切断刃１２と第４切断刃１４を肌面に接触させることができる。したがって、粗剃り用の第１、第３の各切断刃１１・１３で切断された長毛やくせ髭を、第２・第４の切断刃１２・１４で繰り返し仕上げ剃りすることができ、とくにあご部におけるくせ髭を繰り返し的確に切断するのに好適な電気かみそりが得られる。
【００３９】
第１切断刃１１から第４切断刃１４のそれぞれを、単独で上下フロート自在に支持したうえで、第２切断刃１２および第４切断刃１４の沈み込み動作に連動して第３切断刃１３を沈み込み可能に構成すると、第２切断刃１２および第４切断刃１４で仕上げ剃りを行なう場合に、第３切断刃１３が肌面に強く押し付けられるのを防止できる。換言すると、第３切断刃１３が肌面に対して過剰に押し付けられて、その外刃２２の刃面が変形しあるいは刃面の一部が折損するのをよく防止できる。
【発明を実施するための最良の形態】
【００４０】
（実施例）  図１ないし図１２は本発明に係る電気かみそりの実施例を示す。図２において、電気かみそりは、本体ケース１と、本体ケース１に組み付けられる作動ユニットとを有する。本体ケース１の前面にはスイッチパネル２が設けてあり、その上下にモーター起動用のスイッチノブ３と、電気かみそりの運転状態を表示する表示部４が設けてある。本体ケース１の後面には、きわ剃り刃ユニット５が設けてある。
【００４１】
作動ユニットは、その下半側を占める電装品ユニットと、電装品ユニットの上部に設けられるかみそりヘッド６とで構成してある。電装品ユニットは、内ケースに回路基板と２次電池７などを組み込んで構成してあり、回路基板には、先のスイッチノブ３で切り換え操作されるスイッチや、制御回路を構成する電子部品、および表示部４の光源となるＬＥＤなどが実装してある。
【００４２】
かみそりヘッド６は、ヘッドフレーム８と、その下面に固定されるモーター９およびモーターホルダ１０と、かみそりヘッド６の上部に配置される４個の切断刃１１〜１４と、モーター９の動力を往復動力に変換して各切断刃１１〜１４に伝動する駆動構造と、ヘッドフレーム８に対して着脱される外刃ホルダー１５などで構成してある。かみそりヘッド６の全体は、先の内ケースで上下フロート可能に、しかも左右傾動、および前後傾動可能に支持されている。また、モーター９および回路基板を含む電装品ユニットは、かみそりヘッド６と内ケースとの間に設けたシール体で密封してある。
【００４３】
各切断刃１１〜１４は、粗剃り用の第１切断刃１１と、仕上げ剃り用の第２切断刃１２と、粗剃り用の第３切断刃１３と、仕上げ剃り用の第４切断刃１４とからなり、かみそりヘッド６の後側から前側へ向かって記載順に配置してある。粗剃り用の第１切断刃１１と第３切断刃１３は、主に長毛やくせ髭を切断するために設けられており、いずれも外刃１８・２２および内刃１９・２３のそれぞれがスリット刃で形成してある。仕上げ剃り用の第２切断刃１２と第４切断刃１４は、短毛を仕上げ切断するために設けられており、いずれも外刃２０・２４が網刃で形成され、内刃２１・２５がスリット刃で形成してある。
【００４４】
モーター９の回転動力は、ヘッドフレーム８の内部に配置した前後一対の振動子２８・２９で往復動力に変換されたのち、第２切断刃１２と第４切断刃１４の内刃２１・２５に伝動される。さらに、前後の各振動子２８・２９の駆動軸３０・３１に固定した駆動ピース３２・３３を介して、第１切断刃１１と第３切断刃１３の内刃１９・２３に伝動される。駆動ピース３２には、きわ剃り刃ユニット５に往復動力を伝動する駆動アーム３４が一体に設けてある。
【００４５】
図５に示すように、第１切断刃１１の外刃１８は、垂直の縦壁３６と、縦壁３６に連続して後向きに鋭角に折り曲げられる上壁３７とで逆Ｌ字状に形成してあり、上壁３７の全体が第２切断刃１２へ向かって上り傾斜させてある。外刃１８には、第１切刃部３８と第２切刃部３９とが形成され、両切刃部３８・３９は、上壁３７の前後中途部において左右方向に連続する補強リブ４０で前後に区分されている。
【００４６】
第１切刃部３８は、上壁３７の後端側にスリット状の刃穴４２とリブ４３を交互に形成して構成してある。刃穴４２を区分するリブ４３で肌面が傷つけられるのを防ぐために、各リブ４３の先端は下向きに折り曲げてある。この折り曲げ部分、すなわち第１切刃部３８の後端縁と、先に述べた補強リブ４０と、第２切刃部３９の後縁とは、それぞれ平面視において外突湾曲線状に形成してある。なお、第２切刃部３９の前端縁は、平面視において直線状に形成してある（図６参照）。
【００４７】
上記のように、第２切刃部３９の前端縁を直線状に形成し、その後端縁を外突湾曲状に形成すると、左右中央部付近における切刃の前後長さを充分に確保して、髭の切断機会を向上しながら、左右両端付近の切刃の前後長さを短くして切刃の構造強度を向上できる。これは、各切断刃１１〜１４においては、左右両端で髭が切断される状況に比べて、左右中央部で髭が切断される状況のほうが圧倒的に多く、しかも左右中央部付近における切刃の前後長さが長い分だけ、髭の切断機会を増加できるからである。
【００４８】
第２切刃部３９は、縦壁３６から上壁３７の補強リブ４０にわたって髭導入用のスリット状の刃穴４４とリブ４５を交互に形成して構成する。リブ４５は、逆Ｌ字状に折り曲げられており、縦壁３６側の刃面と上壁３７側の刃面の両者で髭切断を行なえる。第２切刃部３９の刃穴４３の隣接ピッチと、先の第１切刃部３８の刃穴４２の隣接ピッチとは同じであるが、両刃穴４２・４３とリブ４３・４５が互い違いになるように配置してある。また、各刃穴４２・４３と各リブ４３・４５は、第１切刃部３８の後端縁の湾曲中心を通る半径線に沿って放射状に形成してある。つまり、各刃穴４２・４３と各リブ４３・４５は、かみそりヘッド６の後ろ側へ向かって拡がる向きに放射配置してある。
【００４９】
第１切断刃１１の内刃１９は、垂直の内縦壁４８と、内縦壁４８に連続して後向きに鋭角に折り曲げられる内上壁４９とで逆Ｌ字状に形成する。内上壁４９の後部には、外刃１８の第１切刃部３８に対応する第１切刃部５０が形成してあり、内縦壁４８と内上壁４９との隣接部分には、外刃１８の第２切刃部３９に対応する第２切刃部５１が形成してある。両切刃部５０・５１は、内上壁４９の前後中途部において左右方向に連続する補強リブ５２で前後に区分されている。第１・第２の両切刃部５０・５１は、外刃１８の第１切刃部３８および第２切刃部３９と同様に、刃穴５３・５５とリブ５４・５６が互い違いになるように、しかも後ろ側へ向かって拡がる向きに放射配置した状態で形成してある。また、第１切刃部５０の後端縁と先に述べた補強リブ５２とが、平面視において外突湾曲線状に形成してある点も同じである。
【００５０】
第１切断刃１１の外刃１８は、プラスチック成形された外刃枠（外刃支持体）５９に溶着固定してあり、同様に内刃１９はプラスチック成形されたＴ字状の内刃枠６０に溶着固定してある。内刃枠６０には、内刃１９に加えて、内刃１９を外刃１８に押し付け付勢する板ばね製の内刃ばね６１が固定してある。組み立ての過程では、内刃１９と内刃ばね６１が組み付けられた内刃枠６０を、外刃枠５９の所定位置に組み付けたのち、外刃１８を外刃枠５９に溶着固定して、第１切断刃１１の全体がカセット化してある。組み付け状態における内刃１９は、内刃ばね６１で押し上げ付勢されて外刃１８の内面に密着している。
【００５１】
カセット構造の第１切断刃１１は、外刃ホルダー１５に対して上下フロート自在に組み付けられて、両者１１・１５の間に配置した左右一対の第１フロートばね６２で押し上げ付勢してある（図５参照）。第１フロートばね６２は圧縮コイルバネで構成してある。内刃枠６０の下端には、駆動ピース３２と係合するコ字状の受動溝６３が形成してある。外刃ホルダー１５をヘッドフレーム８に装着した状態では、受動溝６３が駆動ピース３２の上端に連結されるので、モーター９の起動と同時に内刃１９を往復駆動できる。
【００５２】
図７に示すように、第２切断刃１２の外刃２０は電鋳法で形成した網刃からなり、外刃フレーム（外刃支持体）６５で逆Ｕ字状に保形されてカセット化してある。外刃フレーム６５は、外刃ホルダー１５に対して上下フロート自在に組み付けてある。スリット刃構造の内刃２１は、逆Ｕ字状に折り曲げて形成してあり、内刃フレーム６６に固定されてカセット化してある。内刃フレーム６６は、駆動軸３０に圧嵌係合されて振動子２８と連結されている（図４参照）。この連結状態において、内刃フレーム６６は、駆動軸３０に対して左右傾動でき、さらに上下フロート可能に支持されて、両者３０・６６間に配置した第２フロートばね６７で押し上げ付勢してある。したがって、外刃ホルダー１５をヘッドフレーム８に装着した状態では、内刃２１が外刃２０の内面に密着する。
【００５３】
図８において、第３切断刃１３の外刃２２は、上突状に湾曲する上壁７０と、上壁７０の前後縁に連続する前壁７１および後壁７２を一体に折り曲げて逆樋体状に形成してあり、上壁７０の前後縁のそれぞれにスリット状の刃穴７３とリブ７４とが交互に形成してある。上壁７０の前後中央には左右方向に連続する補強リブ７５が形成してある。補強リブ７５で前後に区分されて、同リブ７５の前後縁と直交する一群の刃穴７３とリブ７４とは、互い違いになるように形成してある。上壁７０の湾曲半径は、第２切断刃１２の外刃２０の湾曲半径より充分に大きく設定してある。
【００５４】
図９に示すように、リブ７４の内周面には微小波形の髭保持部７９が形成してあり、刃穴７３に導入した髭を髭保持部７９で受け止めることにより、髭がリブ７４にそってずれ動くのを防止できるようにしている。外刃２２はその左右両端が一対の刃受ピース（外刃支持体）７６で支持されて、外刃２２の下面に装着される補強枠７７と共に刃受ピース７６に固定してある。補強枠７７は、左右の刃受ピース７６を繋ぐ左右横長の枠体からなり、その下面左右には内刃２３を外刃２２に密着させるばね腕７８が一体に形成してある。
【００５５】
第３切断刃１３の内刃２３は逆Ｕ字状に折り曲げて形成してあり、プラスチック成形されたＴ字状の内刃枠８２に溶着固定してある。組み立ての過程では、左右の刃受ピース７６に外刃２２を仮組みして、外刃２２の内部に内刃２３と内刃枠８２を組み付ける。次に、補強枠７７を外刃２２の下面前後に外嵌装着し、外刃２２と補強枠７７を刃受ピース７６に対して溶着固定することにより、第３切断刃１３の全体がカセット化してある。この組み付け状態において、内刃２３はばね腕７８で押し上げ付勢されて、外刃２２の内面に密着している。
【００５６】
カセット構造の第３切断刃１３は、外刃ホルダー１５に対して上下フロート自在に組み付けられて、両者１３・１５の間に配置した左右一対の第３フロートばね８３で押し上げ付勢してある（図８参照）。第３フロートばね８３は圧縮コイルバネからなる。内刃枠８２の下端には、駆動ピース３３と係合するコ字状の受動溝８４が形成してある。外刃ホルダー１５をヘッドフレーム８に装着した状態では、受動溝８４が駆動ピース３３の上端に係合連結されるので、モーター９の起動と同時に内刃２３を往復駆動できる。
【００５７】
第４切断刃１４は、第２切断刃１２と同じ構造であるので、同じ部材に同じ符号を付してその説明を省略する。
【００５８】
外刃ホルダー１５は、先の第１〜第４の切断刃１１〜１４が組み付けられる上ケース１６と、上ケース１６を支持する下ケース１７とで構成してある。上ケース１６は下ケース１７に対して着脱できる。下ケース１７はヘッドフレーム８に対して着脱でき、ヘッドフレーム８に組み付けた左右一対のロック具８７で装着状態にロック保持される。図１０に示すようにロック具８７には、下ケース１６の内面の凹部８８と係合する前後一対のロック爪８９と、ロック解除ボタン９０とが一体に形成してあり、全体がロックばね９１でロック付勢してある。左右のロック解除ボタン９０をロックばね９１の付勢力に抗して押し込み操作すると、ロック爪８９と凹部８８との係合が解除されるので、外刃ホルダー１５をヘッドフレーム８から取り外すことができる。この状態では図４に示すように、第２切断刃１２と第４切断刃１４の内刃２１・２５のみがヘッドフレーム８側に残る。
【００５９】
くせ髭の切断と仕上げ剃りとを効果的に行なうために、第１〜第４の各切断刃１１〜１４の配置関係と突出関係を次のように設定している。既に説明したように、外刃ホルダー１５をヘッドフレーム８に装着した状態において、第１切断刃１１と、第２切断刃１２と、第３切断刃１３と、第４切断刃１４とを、かみそりヘッド６の後ろ側から前側へ向かって記載順に配置する。また、図１に示すように第２切断刃１２の上端を、第１切断刃１１の上端より上方へ突出させ、第３切断刃１３の上端を第２切断刃１２の上端より上方へ突出させ、さらに、第２切断刃１２の上端を第４切断刃１４の上端と同じ高さにする。
【００６０】
各切断刃１１〜１４の突出関係を上記のように設定することにより、第１切断刃１１の上壁３７の前部周面（外周面）と、逆Ｕ字状に湾曲する第２切断刃１２の湾曲面（外周面）を結ぶ接線Ｌを想定するとき、第３切断刃１３の上端は先の接線Ｌより下方に位置しており、しかも第３切断刃１３の上端は第２切断刃１２の上端より上方へ突出している。上壁３７は、先の接線Ｌに沿って上り傾斜している。第３切断刃１３を先の接線Ｌより下方に位置させることにより、図１２に示すように喉側からあごの下面へ向かって髭を剃るとき、第３切断刃１３が肌面に強く当るのを避けて、肌当りをソフトなものとすることができる。なお、上壁３７は接線Ｌと同じ傾斜角度で傾斜することができ、その場合の接線Ｌは上壁３７と同じ平面を通る接線とすることが好ましい。
【００６１】
第２切断刃１２の上端と第１切断刃１１の上端との突出寸法差Ｈ１は、第３切断刃１３の上端と第２切断刃１２の上端との突出寸法差Ｈ２より大きく設定してある。このように、Ｈ１＞Ｈ２とすると、口の周囲などの髭を剃る時には、他の切断刃に先行して第３切断刃１３を肌面に接触させて粗剃りを行ない、第３切断刃１３が突出寸法差Ｈ１の分だけ沈み込んだ状態になって始めて、第２切断刃１２を肌面に接触させて仕上げ剃りを行なえることになる。また、電気かみそりを横臥姿勢にしてあごの下の髭を剃る場合には、他の切断刃に先行して第３切断刃１３と第２切断刃１２を同時に肌面に接触させて、粗剃りと仕上げ剃りとを連続して行なえる。つまり、従来の電気かみそりに比べて、髭を剃るべき個所に応じて粗剃り用の第１切断刃１１および第３切断刃１３を有効に活用しながら、さらに効果的に髭切断を行なえることになる。
【００６２】
図３に示すように、各切断刃１１〜１４を平面からみるとき、第１切断刃１１の左右幅寸法をＢ１とし、第２切断刃１２の左右幅寸法をＢ２とし、第３切断刃１３の左右幅寸法をＢ３とし、第４切断刃１４の左右幅寸法をＢ４するとき、Ｂ１＜Ｂ２＜＝Ｂ３＜Ｂ４の関係を満足するように設定してある。
【００６３】
第１ないし第４の各切断刃１１〜１４の外刃１８・２０・２２・２４を支持する外刃支持体、具体的には外刃枠５９、外刃フレーム６５、刃受ピース７６、外刃フレーム６５の左右両端の上端には、図３および図１１に示すように、それぞれ肌押圧体５９ａ・６５ａ・７６ａ・６５ａが設けてある。これらの肌押圧体５９ａ・６５ａ・７６ａ・６５ａは、各外刃１８・２０・２２・２４の上突端より僅かに突出させてあり、各肌押圧体５９ａ・６５ａ・７６ａ・６５ａは、かみそりヘッド６の前面側へ向かって末広がり状に配置してある。
【００６４】
詳しくは、各肌押圧体５９ａ・６５ａ・７６ａ・６５ａは全体としてハ字状に配列してある。また、第１切断刃１１と第２切断刃１２における左右の肌押圧体５９ａ・６５ａは、それぞれかみそりヘッド６の前面側へ向かって末広がり状（ハ字状）に配置され、第３切断刃１３と第４切断刃１４における左右の肌押圧体７６ａ・６５ａは、それぞれ左右平行に配置してある。このように、各肌押圧体５９ａ・６５ａ・７６ａ・６５ａを全体としてハ字状に配列し、さらに第１切断刃１１と第２切断刃１２の左右の肌押圧体５９ａ・６５ａを、それぞれ末広がり状に配置することにより、図１２に示す状態で髭剃りを行なう場合に、肌面を左右方向へ徐々に押し拡げながら髭を切断して、深剃りすることができる。
【００６５】
第１切断刃１１から第４切断刃１４は、それぞれ単独で上下フロート自在に支持されている。詳しくは、第１切断刃１１と第３切断刃１３は、外刃ホルダー１５でそれぞれ上下フロート自在に支持されており、第２切断刃１２と第４切断刃１４は、振動子２８・２９の駆動軸３０・３１でそれぞれ上下フロート自在に支持されている。加えて、第３切断刃１３は、第２切断刃１２および第４切断刃１４のフロート動作に連動して上下フロートできるように構成してある。
【００６６】
詳しくは、図１１に示すように第３切断刃１３を構成する刃受ピース７６の前後面の左右両側に連動片９４を突設し、刃受ピース７６の前面あるいは後面と対向する第２・第４切断刃１２・１４の外刃フレーム６５に、連動片９４の上面に接当する鉤状の連動爪９５を設けている。第２・第４切断刃１２・１４が外刃フレーム１５の上方に突出した定常状態において、連動爪９５は連動片９４に接当しており、したがって、第２・第４切断刃１２・１４のいずれか一方が左右傾動し、あるいは全体が下方へ僅かでも沈み込むと、第３切断刃１３は連動して左右傾動し、あるいは下方へ沈み込むことになる。但し、第３切断刃１３が単独で沈み込んだとしても、第２切断刃１２および第４切断刃１４が沈み込み変位することはない。
【００６７】
上記構成の電気かみそりによれば、図１に示すように第１〜第４の各切断刃１１〜１４を、かみそりヘッド６の上部の外刃ホルダー１５の内部に収容された状態で、それぞれの上端が概ねアーチ状に連なる状態で隣接配置するので、手首を中心にして電気かみそりを上下に振りながら髭を剃る際に、各切断刃１１〜１４の肌面への押圧力をほぼ均一にして肌への負担を軽減できる。
【００６８】
図１３ないし図１６は、それぞれ各肌押圧体５９ａ・６５ａ・７６ａ・６５ａの配置パターンの別実施例を示す。各別実施例においては、先の実施例と異なる内容のみを説明する。図１３においては、第１、第２、第３の各切断刃１１〜１３における左右の肌押圧体５９ａ・６５ａ・７６ａを、それぞれかみそりヘッド６の前面側へ向かって末広がり状（ハ字状）に配置し、第４切断刃１４における左右の肌押圧体６５ａは左右平行に配置した。また、第４切断刃１４における左右幅寸法Ｂ４を、第３切断刃１３における左右幅寸法Ｂ３より小さく設定した。
【００６９】
図１４においては、第１、第２、第４の各切断刃１１・１２・１４における左右の肌押圧体５９ａ・６５ａ・６５ａを、それぞれかみそりヘッド６の前面側へ向かって末広がり状（ハ字状）に配置し、第３切断刃１における左右の肌押圧体７６ａは左右平行に配置した。また、各切断刃１１〜１４における左右幅寸法Ｂ１〜Ｂ４の関係は、先の実施例と同じにした。
【００７０】
図１５においては、第１〜第４の各切断刃１１・１２・１３・１４における左右の肌押圧体５９ａ・６５ａ・７６ａ・６５ａを、それぞれかみそりヘッド６の前面側へ向かって末広がり状（ハ字状）に配置して、左側の肌押圧体５９ａ・６５ａ・７６ａ・６５ａの列と、右側の肌押圧体５９ａ・６５ａ・７６ａ・６５ａの列のそれぞれが、斜めの直線列に並ぶようにした。それに伴い、各切断刃１１〜１４の左右幅寸法Ｂ１〜Ｂ４は段階的に大きくなる。
【００７１】
図１６においては、第１〜第４の各切断刃１１・１２・１３・１４における左右の肌押圧体５９ａ・６５ａ・７６ａ・６５ａを、それぞれかみそりヘッド６の前面側へ向かって末広がり状（ハ字状）に配置した。また、第２〜第４の各切断刃１２・１３・１４の左右幅寸法Ｂ２・Ｂ３・Ｂ４を同じに設定し、第１切断刃１１の左右幅寸法より大きくした。それに伴い、第２〜第４の各切断刃１２・１３・１４における肌押圧体６５ａ・７６ａ・６５ａは鋸刃状に並ぶこととなる。
【００７２】
上記の実施例では、第１切断刃１１と第３切断刃１３をスリット刃で構成したが、その必要はなくバリカン刃で構成してもよい。第３切断刃１３の外刃１３は、左右に連続する前後壁７１・７２を備えている必要はなく、例えば、外刃１３の左右方向一定間隔おきに上壁７０に連続して下方に伸びる脚片を備えた外刃構造であってもよい。上記の実施例では、第３切断刃１３の上端を第２切断刃１２の上端より突出させたが、その必要はなく、両者の上端位置は同じにすることができる。第１切断刃１１の外刃１８の上壁３７は平坦壁である必要はなく、上突湾曲面状に形成することができる。
【００７３】
上記の実施例では、第１切刃部３８の前後端縁のそれぞれを、平面視において外突湾曲線状に形成したが、第１切刃部３８の前端縁（補強リブ４０の後端縁）は、平面視において直線状に形成することができる。その場合には、左右中央部付近における切刃の前後長さを充分に確保して、髭の切断機会を向上しながら、左右両端付近の切刃の前後長さを短くして切刃の構造強度を向上できる。本発明は、かみそりヘッド６が浮動支持されていない形態の電気かみそりにも等しく適用できる。
【図面の簡単な説明】
【００７４】
【図１】かみそりヘッドの側面図である。
【図２】電気かみそりの正面図である。
【図３】かみそりヘッドの平面図である。
【図４】外刃ホルダーを分離した状態のかみそりヘッドの縦断側面図である。
【図５】一部を破断した第１切断刃の分解背面図である。
【図６】第１切断刃の平面図である。
【図７】第２切断刃の分解正面図である。
【図８】一部を破断した第３切断刃の分解正面図である。
【図９】一部を破断した第３切断刃の平面図である。
【図１０】外刃ホルダーのロック構造を示す縦断正面図である。
【図１１】第３切断刃のフロート連動構造を示す縦断側面図である。
【図１２】電気かみそりの使用状態を示す側面図である。
【図１３】肌押圧体の配置パターンの別実施例を示す平面図である。
【図１４】肌押圧体の配置パターンのさらに別の実施例を示す平面図である。
【図１５】肌押圧体の配置パターンのさらに別の実施例を示す平面図である。
【図１６】肌押圧体の配置パターンのさらに別の実施例を示す平面図である。
【符号の説明】
【００７５】
６  かみそりヘッド
１１  第１切断刃
１２  第２切断刃
１３  第３切断刃
Ｌ  接線
Ｈ１  第２切断刃と第１切断刃の突出寸法差
Ｈ２  第３切断刃と第２切断刃の突出寸法差
【図１】
2010136954.tif 000003
【図２】
2010136954.tif 000004
【図３】
2010136954.tif 000005
【図４】
2010136954.tif 000006
【図５】
2010136954.tif 000007
【図６】
2010136954.tif 000008
【図７】
2010136954.tif 000009
【図８】
2010136954.tif 000010
【図９】
2010136954.tif 000011
【図１０】
2010136954.tif 000012
【図１１】
2010136954.tif 000013
【図１２】
2010136954.tif 000014
【図１３】
2010136954.tif 000015
【図１４】
2010136954.tif 000016
【図１５】
2010136954.tif 000017
【図１６】
2010136954.tif 000018